(57)【要約】【課題】同じような構成を有する機能提供画面が多数存在する場合でも、目当ての機能を提供する特定の画面に、ユーザが素早く到達できる監視制御画面表示装置を提供する。【解決手段】画面情報記憶部１１に機能提供画面を縮小した画面イメージと、その概要を説明する補助情報を記録し、画面イメージ表示部２１は、ディスプレイ２上のインデックス表示領域３０に縮小した画面イメージ３２１〜３２ｎと、その画面イメージに対応する機能提供画面が提供する機能を説明する補助情報３１１〜３１ｎを一覧表示する。【選択図】図１
2012118641.tif 000002
【特許請求の範囲】
【請求項１】
複数の機能提供画面にそれぞれ対応する縮小した画面イメージ及び前記複数の機能提供画面がそれぞれ提供する機能の内容を説明する補助情報を保存する画面情報記憶部を有する記憶部と、
前記画面イメージと前記補助情報を選択可能に画面に表示する画面イメージ表示部と、
前記画面イメージ又は前記補助情報の中から選択された画面イメージ又は補助情報に対応する機能提供画面を画面に表示する機能提供画面呼出部を有する情報処理部、
とを備えた監視制御画面表示装置。
【請求項２】
前記記憶部は、各機能提供画面が属するグループ情報を保存するグループ情報記憶部を有することを特徴とする請求項１に記載の監視制御画面表示装置。
【請求項３】
前記グループ情報は編集可能であることを特徴とする請求項２に記載の監視制御画面表示装置。
【請求項４】
前記記憶部は、各機能の利用履歴を保存する履歴情報記憶部を有し、
前記グループ情報は、前記利用履歴から前記機能提供画面の使用頻度を元に自動編集されることを特徴とする請求項３に記載の監視制御画面表示装置。
【請求項５】
前記グループ情報の自動編集は、使用頻度の多い順であることを特徴とする請求項４に記載の監視制御画面表示装置。
【請求項６】
前記グループ情報の自動編集は、繰り返し操作される一連の機能を抽出することによって行うことを特徴とする請求項４に記載の監視制御画面表示装置。
【請求項７】
前記グループ情報記憶部は、各グループの内容を説明する補助情報を有し、
前記各グループに属する全ての機能提供画面の縮小した画面イメージと補助情報の一覧を表示するグループ一覧画面を有することを特徴とする請求項２乃至請求項６のいずれか１項に記載の監視制御画面表示装置。
【請求項８】
前記情報処理部は、前記画面イメージ及び前記補助情報について表示の優先度を判定する優先度判定部を有し、前記優先度を元に前記画面イメージ及び前記補助情報の表示方法を決定することを特徴とする請求項１乃至請求項７のいずれか１項に記載の監視制御画面表示装置。
【発明の詳細な説明】
【技術分野】
【０００１】
この発明は、プラント設備や公共施設における設備・機器の状態監視や稼動制御を行う監視制御画面表示装置に関するものである。
【背景技術】
【０００２】
プラント設備や公共施設において、設備・機器の状態監視や稼動制御を行ったり、河川や池などの流量や水位といった値を監視する従来の監視制御システムは、監視対象の現在の状況を表示したり、メニューから機器の操作を入力する端末と、処理を行うサーバとで構成されている。
端末は専用端末、もしくはＯＡパソコンを用いることが多く、液晶モニターに表示し、キーボードやマウスで操作、入力作業を行っている。
プラント監視・制御の分野では、機能に応じて複数階層を持つメニュー形式で各機能の呼び出しを行っているが、目的機能の選択までにメニューの操作の手数が多く、必要な機能の操作画面をすぐに呼び出せないという問題があった。
このような問題に対し、操作対象とする機能の縮小画面（サムネイル）を表示し、１つの縮小画面を選択することにより操作対象となる主画面を入れ替えることができる発明が開示されている。（例えば、特許文献１参照）
【先行技術文献】
【特許文献】
【０００３】
【特許文献１】特開２００８−２８７３６０号公報
【発明の概要】
【発明が解決しようとする課題】
【０００４】
プラント設備や公共施設における、設備・機器の状態監視や稼動制御を行ったり、広い範囲の河川や池などの流量や水位等の値を監視する監視制御システムの画面は、それらをグラフィックなどで監視する監視画面領域と、その画面を操作するためのメニュー領域から構成されることが多い。また、監視のための画面領域を大きく取るため、メニュー領域は大きく取れない場合が多い。多くの機能を持ち、多くの種類の機器を扱う場合は、メニュー領域に必要な機能の呼び出しを行うため、多重階層を持ったメニューを構成する必要があり、必要な機能の呼び出しのための操作回数が多く、すぐに必要な機能を呼び出せないという問題があった。
【０００５】
また、一連として操作したい機能についても、順次操作するためにはメニューの階層を辿る必要があり、操作に多くの時間を要するという問題があった。
このような問題を解決するために前述の特許文献１に示された縮小画面を利用する装置が提案されている。しかし、同じような構成を有する機能提供画面が多数存在する場合、縮小画面のみでユーザが目当ての機能提供画面を区別することは難しく、対象の機能を選ぶために時間がかるという問題が依然としてあった。
【０００６】
この発明は上記のような課題を解決するためになされたものであり、縮小した画面イメージと合わせて当該画面が提供する機能を識別するための補助情報を備えた、画面イメージ選択方式を利用した監視制御画面表示装置を得ることを目的とする。
【課題を解決するための手段】
【０００７】
この発明に係る監視制御画面表示装置は、複数の機能提供画面にそれぞれ対応する縮小した画面イメージ及び複数の機能提供画面がそれぞれ提供する機能の内容を説明する補助情報を保存する画面情報記憶部を有する記憶部と、
画面イメージと補助情報を選択可能に画面に表示する画面イメージ表示部と、
画面イメージ又は補助情報の中から選択された画面イメージ又は補助情報に対応する機能提供画面を画面に表示する機能提供画面呼出部を有する情報処理部、
とを備えたものである。
【発明の効果】
【０００８】
この発明に係る監視制御画面表示装置は、複数の機能提供画面にそれぞれ対応する縮小した画面イメージ及び複数の機能提供画面がそれぞれ提供する機能の内容を説明する補助情報を保存する画面情報記憶部を有する記憶部と、
画面イメージと補助情報を選択可能に画面に表示する画面イメージ表示部と、
画面イメージ又は補助情報の中から選択された画面イメージ又は補助情報に対応する機能提供画面を画面に表示する機能提供画面呼出部を有する情報処理部、
とを備えたものなので、表示する画面情報が多い場合でも、スクロール表示することにより、迅速に画面イメージを確認することができ、類似した画面イメージがあった場合にも補助情報により区別が可能となり、正しく必要な画面を選択することができる。
【図面の簡単な説明】
【０００９】
【図１】この発明に係る監視制御画面表示装置の実施の形態１の構成を示す模式図である。
【図２】図１に示す装置のディスプレイに表示される画面の一例を示す図である。
【図３】この発明に係る監視制御画面表示装置の実施の形態２の構成を示す模式図である。
【図４】図３に示す装置のディスプレイに表示される画面の一例を示す図である。
【図５】この発明に係る監視制御画面表示装置の実施の形態３の構成を示す模式図である。
【図６】この発明に係る監視制御画面表示装置の実施の形態４の構成を示す模式図である。
【図７】この実施の形態５におけるディスプレイ２に表示される画面の一例を示す図である。
【図８】この発明に係る監視制御画面表示装置の実施の形態６の構成を示す模式図である。
【発明を実施するための形態】
【００１０】
実施の形態１．
以下、この発明の実施の形態１を図１、図２に基づいて説明する。
図１はこの発明に係る監視制御画面表示装置１００（以下装置１００という）の実施の形態１の構成を示す模式図である。
装置１００はデータ処理をするデータ処理装置１とこれに接続したディスプレイ２とで構成される。
図２は、図１のデータ処理装置１に接続したディスプレイ２に表示される画面の一例を示す図である。
【００１１】
データ処理装置１は、ディスプレイ２に表示する画面情報（縮小した画面イメージ、補助情報、縮小した画面イメージに対応する機能提供画面の構成等）を記憶する画面情報記憶部１１を有する記憶部１０と、縮小した画面イメージをディスプレイ２に表示する画面イメージ表示部２１、縮小した画面イメージの選択操作により対象となる機能ｎを提供するベース画面５０ｎを呼び出す機能提供画面呼出部２２、対象の機能１〜機能ｎを実行する機能１実行部２３１〜機能ｎ実行部２３ｎからなる情報処理部２０を備える。
図２に示すように、インデックス表示領域３０には、画面情報記憶部１１に画面情報として記憶されている縮小した画面イメージ３２１〜３２ｎと、それぞれの操作画面が提供する機能の概要を記載した補助情報３１１〜３１ｎとを一組ずつ表示する。
また、すべての画面情報を表示するためにスクロールバー４０を設けている。
【００１２】
インデックス表示領域３０に表示された縮小した画面イメージ３２１〜３２ｎの欄を選択操作することにより、機能提供画面呼出部２２は、選択された画面イメージ３２１〜３２ｎに対応するベース画面５０１〜５０ｎを画面情報記憶部１１から呼び出してベース画面表示部５０に表示する。
表示されるベース画面５０１〜５０ｎには、対応する機能へのリンクアイコン等が表示されていて各機能が選択可能となる。
【００１３】
補助情報は、インデックス表示領域３０に表示された画面イメージ３２１〜３２ｎだけでは対応する機能を判別しにくい場合の補助として参照するものである。
該当画面が提供する機能の名称を示す文字列やアイコンイメージなど、当該機能を認識するために参照可能な情報であればどのような表示形式でもよい。
【００１４】
以上のように、実施の形態１によれば、ユーザが必要とする機能を縮小した画面イメージで把握することが容易となり、直接縮小した画面イメージを選択操作し、対象の機能提供画面を表示することにより、必要な機能の呼び出しを迅速に行うことができる。
また、表示する画面情報が多い場合でも、スクロール表示することにより、迅速に画面イメージを確認することができ、類似した画面イメージがあった場合にも補助情報により区別が可能となり、正しく必要な画面を選択することができる。
なお、上の説明では縮小した画面イメージ３２１〜３２ｎを選択することにより対応するベース画面を呼び出したが、補助情報３１１〜３１ｎを選択しても良い。
【００１５】
実施の形態２．
以下、この発明の実施の形態２を図３、図４に基づいて実施の形態１と異なる部分を中心に説明する。
図３は、この発明に係る監視制御画面表示装置２００（以下装置２００という）の実施の形態２の構成を示す模式図である。
装置２００はデータ処理をするデータ処理装置２０１とこれに接続したディスプレイ２とで構成される。
図４は、図３のデータ処理装置２０１に接続したディスプレイ２に表示される画面の一例を示す図である。
【００１６】
実施の形態１では、選択する縮小した画面イメージは、すべて１つのスクロール表示領域に表示されていた。
図４に示すように、この実施の形態２では、グループ情報記憶部１２を記憶部２１０に追加し、画面情報をグループ分けする情報を保存している。
そしてインデックス表示領域３０にはグループ選択欄３３を追加している。
画面イメージ表示部２１は、グループ情報記憶部１２に格納されたグループ情報をもとに、選択されたグループに属する画面イメージと補助情報をインデックス表示領域３０に表示する。
更にインデックス表示領域３０に設けた画面名称欄３４に画面名称を入力して表示ボタンを押下することにより、直接その機能提供画面を表示することも可能である。
【００１７】
画面情報記憶部１１にはユーザが利用する可能性のある操作画面をすべて登録するが、グループ情報記憶部１２にはユーザにとって重要な操作画面のみを登録することとしても良い。
以上のように、この実施の形態２によれば、画面情報をグループ化することにより、関連する機能をまとめることができる。
また、一連の監視作業をグループ内の画面イメージで把握することができるので、多くの画面イメージの中から必要な機能を提供する画面を探す手間が省け、操作時間を短縮することができる。
【００１８】
実施の形態３．
以下、この発明の実施の形態３を図５に基づいて実施の形態２と異なる部分を中心に説明する。
図５は、この発明に係る監視制御画面表示装置３００（以下装置３００という）の実施の形態３の構成を示す模式図である。
装置３００はデータ処理をするデータ処理装置３０１とこれに接続したディスプレイ２とで構成される。
【００１９】
上記実施の形態２では、画面情報のグループ管理をするには、グループ情報記憶部１２をオフラインで更新する必要がある。しかし、この実施の形態３では、情報処理部３２０にグループ登録部２４を追加し、グループ情報記憶部１２を更新することにより、利用時にユーザ自身が必要な画面情報のグループを自分で作成することができる。
データ処理装置３０１に登録される画面情報については、ユーザが利用する可能性があるものはすべて登録される。グループ登録部２４は、図４の画面名称３４でユーザが画面名称を指定して表示した画面を指定グループに登録することとしても良いし、登録されたイメージ画面一覧をユーザに提示して、選択した複数の画面をグループ化する機能を提供してグループ情報記憶部１２にユーザが必要とする画面のグループを作成しても良い。
【００２０】
以上のように、この実施の形態３によれば、ユーザは、よく利用する機能を提供する画面情報を随時、グループ登録部２４によりグループに登録することができる。
これにより、そのグループを選択し、画面イメージを表示、選択して目的の機能を提供する操作画面に容易に到達することができる。
【００２１】
実施の形態４．
以下、この発明の実施の形態４を図６に基づいて実施の形態３と異なる部分を中心に説明する。
図６は、この発明に係る監視制御画面表示装置４００（以下装置４００という）の実施の形態４の構成を示す模式図である。
装置４００はデータ処理をするデータ処理装置４０１とこれに接続したディスプレイ２とで構成される。
【００２２】
上記実施の形態３では、ユーザ自身がグループの作成を行う機能について述べた。
この実施の形態４では、ユーザによる画面の選択の履歴を自動的に記憶する履歴情報記憶部１３を記憶部４１０に追加し、記録された画面選択の履歴から関連する画面情報をグループとして抽出するグループ抽出部２５を情報処理部４２０に追加する。
グループ抽出部２５は、履歴情報記憶部１３の履歴情報から、ユーザが頻繁に使う操作画面や、頻繁に連続して操作される操作画面の繰り返しのパターンを判別する。これにより、一連の監視制御作業に対応した複数の操作画面をグループとして抽出して登録する機能を実現することができる。
【００２３】
以上のように、実施の形態４によれば、監視業務の流れを意識してユーザがグループの作成を行う必要がなく、操作を行って、適切な時点でグループを抽出することにより、グループの作成の作業効率を向上させることができる。
【００２４】
実施の形態５．
以下、この発明の実施の形態５を図７に基づいて上述の実施の形態と異なる部分を中心に説明する。
図７は、この実施の形態５におけるディスプレイ２に表示される画面の一例を示す図である。
【００２５】
実施の形態２、３、４では、グループの選択は、グループ全体のイメージを持たないグループ選択欄３３により行っていた。
この実施の形態５では、グループ情報記憶部１２にグループの補助情報６１を追加して記録する。そして、すべてのグループに属する、すべての縮小した画面イメージを、グループの補助情報６１とともに一覧表示するグループ一覧画面６０を表示する機能を、図３、図５、図６の画面イメージ表示部２１に追加している。
グループ一覧画面６０は、全てのグループ内の全ての画面イメージの表示を見ることができるようスクロールバー６３を備えている。
【００２６】
この実施の形態５によれば、画面イメージによる機能の選択と同様に、グループの認識と選択を可能にできる。
また、複数のグループがある場合に、グループの一覧が更に容易になる。
【００２７】
実施の形態６．
以下、この発明の実施の形態６を図８に基づいて実施の形態５と異なる部分を中心に説明する。
図８は、この発明に係る監視制御画面表示装置６００（以下装置６００という）の実施の形態６の構成を示す模式図である。説明を簡単にするため、図８は実施の形態３の図５
を元にしているが、その他の実施の形態にも対応できる。
【００２８】
実施の形態１乃至５では、各機能提供画面に対応する画面イメージ、補助情報は常に同じものを表示していた。
この実施の形態６では、警報が発令された場合など、操作中の状況により表示すべき画面情報に対して優先度がある場合にその情報を付加する。
画面優先度判定部２６を情報処理部６２０に加え、優先度の判定結果によりディスプレイ２で優先度の高い画面の表示を行う機能を画面イメージ表示部６２１に備える。
例えば、優先的に操作が必要な画面イメージを優先して表示したり、補助情報を強調して表示することを可能とする。
【００２９】
このように、実施の形態６によれば、監視、制御の操作中に状況に応じて優先的に操作が必要な機能に対してユーザを注目させることができ、迅速な監視、制御操作が可能となる。
【符号の説明】
【００３０】
１００，２００，３００，４００，５００，６００  監視制御画面表示装置、
１，２０１，３０１，４０１  データ処理装置、２  ディスプレイ、
１０，２１０，４１０  記憶部、１１  画面情報記憶部、１２  グループ情報記憶部、
１３  履歴情報記憶部、２０，２２０，３２０，４２０，６２０  情報処理部、
２１，６２１  画面イメージ表示部、２２  機能提供画面呼出部、
２３１  機能１実行部、２３ｎ  機能ｎ実行部、２４  グループ登録部、
２５  グループ抽出部、２６  画面優先度判定部、３０  インデックス表示領域、
３１１  補助情報、３３  グループ選択欄、３４  画面名称欄、
４０，６３  スクロールバー、５０  ベース画面表示部、５０１，５０ｎ  ベース画面、６０  グループ一覧画面、６１  グループ補助情報、
３２１，３２２，３２３，３２ｎ  縮小した画面イメージ。
【図１】
2012118641.tif 000003
【図２】
2012118641.tif 000004
【図３】
2012118641.tif 000005
【図４】
2012118641.tif 000006
【図５】
2012118641.tif 000007
【図６】
2012118641.tif 000008
【図７】
2012118641.tif 000009
【図８】
2012118641.tif 000010